(57)【要約】標準の蛇口噴出口の放出端の上へ取り付けるための蛇口取付型洗眼ユニット。通常蛇口モード位置における洗眼ユニットは、蛇口噴出口を通した絶え間ない水流を可能にする。洗眼モードにおいて、洗眼ユニットの一部は、素早くかつ簡単に回転し、一対の洗眼放出ポートを上方に開いた位置に指向し、これらの洗眼放出ポートを一対の洗眼フラッシュ流を上方に運ぶために水流に連結させる。洗眼ユニットは選択された温度水準より上の温水が洗眼放出ポートへ流れることを防ぐサーモスタットをさらに含む。
2013545909.tif 000002
【特許請求の範囲】
【請求項１】
蛇口取付型洗眼ユニットであって、該ユニットは、
第一部分であって、該第一部分は蛇口噴出口に取り付けるように適合され、かつ通常蛇口水流を該第一部分から送達する手段を含む、第一部分、および
該第一部分により動かせるように収容され、かつ一対の洗眼流ポートを含む第二部分を含み、該第二部分は、該第一部分が通常蛇口水流を該第一部分から送達する通常蛇口モード位置と、該通常蛇口水流の少なくとも一部が該一対の洗眼流ポートへそらされることにより一対の洗眼フラッシュ流を生み出し、ヒトの目から汚染物質をフラッシュする洗眼モード位置との間を動かせる、ユニット。
【請求項２】
前記第一部分は蛇口噴出口の下流の下端に接続するように適合され、前記通常蛇口水流を送達する手段は該通常蛇口水流を該第一部分および該蛇口噴出口から下方へ送達する、請求項１に記載の蛇口取付型洗眼ユニット。
【請求項３】
前記洗眼ポートが下方へ開きかつ排水する前記通常蛇口モード位置と、該洗眼ポートが上方へ開く前記洗眼モード位置との間の動きのために、前記第二部分が前記第一部分により回転可能なように収容される、請求項２に記載の蛇口取付型洗眼ユニット。
【請求項４】
前記洗眼ポートが、概して上方へ突出しかつ相互から概して反対の方向に分岐する前記一対の洗眼フラッシュ流を提供するように指向される、請求項３に記載の蛇口取付型洗眼ユニット。
【請求項５】
前記蛇口噴出口に前記第一部分のねじ山上で固定するためのロックアセンブリをさらに含む請求項１に記載の蛇口取付型洗眼ユニット。
【請求項６】
エアレーターをさらに含み、該エアレーターは、該エアレーターを通過する前記通常蛇口水流の水路のために前記第一部分により収容される、請求項１に記載の蛇口取付型洗眼ユニット。
【請求項７】
前記第一部分と前記第二部分との間に収容される回転式弁スリーブをさらに含み、該弁スリーブには、該第二部分が前記通常蛇口モード位置にあるときに通過する前記通常蛇口水流の水路のためのチャンネルが形成されており、該弁スリーブは、該第二部分が該通常蛇口モード位置にあるときに前記洗眼ポートへの水流を防ぐための手段をさらに含む、請求項１に記載の蛇口取付型洗眼ユニット。
【請求項８】
前記弁スリーブには、前記第二部分が前記洗眼モード位置にあるときに前記洗眼ポートへの水流を可能にするための入口ポートが形成されている、請求項７に記載の蛇口取付型洗眼ユニット。
【請求項９】
前記入口ポートと前記洗眼ポートとの間に配置された流れ制限物であって、前記第二部分が前記洗眼モード位置にあるときに洗眼ポート水流を制限するための流れ制限物をさらに含む請求項８に記載の蛇口取付型洗眼ユニット。
【請求項１０】
前記第二部分が前記洗眼モード位置にあるとき、前記流れ制限物が、前記洗眼ポートへの水流をおよそ０．９ガロン毎分まで制限する、請求項９に記載の蛇口取付型洗眼ユニット。
【請求項１１】
前記入口ポートと該洗眼ポートとの間に配置されたサーモスタットであって、前記第二部分が前記洗眼モード位置にあるとき、前もって選択された限度より上の温度で前記洗眼ポートへの水流を防ぐためのサーモスタットをさらに含む請求項８に記載の蛇口取付型洗眼ユニット。
【請求項１２】
前記前もって選択された限度がおよそ１００°Ｆである、請求項１１に記載の蛇口取付型洗眼ユニット。
【請求項１３】
前記第二部分の前記通常蛇口モード位置および前記洗眼モード位置の触知できる表示のための移動止め手段をさらに含む請求項１に記載の蛇口取付型洗眼ユニット。
【請求項１４】
蛇口取付型洗眼ユニットであって、該ユニットは、
第一部分であって、該第一部分は蛇口噴出口の下流の下端に取り付けるように適合され、かつ通常蛇口水流を該第一部分から下向きの方向に送達する手段を含む、第一部分、および
該第一部分により回転可能なように収容され、かつ一対の洗眼流ポートを含む第二部分を含み、該第二部分は、通常蛇口モード位置と洗眼モード位置との間を動かせ、該通常蛇口モード位置では、該第一部分が通常蛇口水流を該第一部分から送達し、該洗眼ポートが概して下向きの方向に開きかつ排水し、該洗眼モード位置では、該一対の洗眼流ポートが概して上向きの方向に開くように指向され、該通常蛇口水流の少なくとも一部が該一対の洗眼流ポートへそらされることにより一対の洗眼フラッシュ流を生み出し、ヒトの目から汚染物質をフラッシュする、ユニット。
【請求項１５】
前記洗眼ポートが、概して上方へ突出しかつ相互から概して反対の方向に分岐する前記一対の洗眼フラッシュ流を提供するように指向される、請求項１４に記載の蛇口取付型洗眼ユニット。
【請求項１６】
前記第一部分と前記第二部分との間に収容される回転式弁スリーブをさらに含み、該弁スリーブには、該第二部分が前記通常蛇口モード位置にあるときに通過する前記通常蛇口水流の水路のためのチャンネルが形成されており、該弁スリーブは、該第二部分が該通常蛇口モード位置にあるときに前記洗眼ポートへの水流を防ぐための手段をさらに含み、該弁スリーブには、該第二部分が前記洗眼モード位置にあるときに該洗眼ポートへの水流を可能にするための入口ポートがさらに形成されている、請求項１５に記載の蛇口取付型洗眼ユニット。
【請求項１７】
前記入口ポートと前記洗眼ポートとの間に配置された流れ制限物であって、前記第二部分が前記洗眼モード位置にあるときに洗眼ポート水流を制限するための流れ制限物をさらに含む請求項１６に記載の蛇口取付型洗眼ユニット。
【請求項１８】
前記入口ポートと該洗眼ポートとの間に配置されたサーモスタットであって、前記第二部分が前記洗眼モード位置にあるとき、前もって選択された限度より上の温度で前記洗眼ポートへの水流を防ぐためのサーモスタットをさらに含む請求項１６に記載の蛇口取付型洗眼ユニット。
【請求項１９】
前記第二部分の前記通常蛇口モード位置および前記洗眼モード位置を戦術的に示すための移動止め手段をさらに含む請求項１４に記載の蛇口取付型洗眼ユニット。
【発明の詳細な説明】
【技術分野】
【０００１】
（本発明の背景）
本発明は、一般的に、標準の蛇口噴出口の放出端の上への取り付けに適したタイプの蛇口取付型洗眼ユニットに関連する。使用において、洗眼ユニットは、蛇口噴出口から通常の方法で水を放出させる通常蛇口モードと一対の洗眼フラッシュ（ｆｌｕｓｈｉｎｇ）流がヒトの目から汚染物質をフラッシュするために上方へ向けられる洗眼モードとの間を、素早くかつ簡単にならびに単一の動作で、動かせる。
【背景技術】
【０００２】
蛇口取付型洗眼ユニットは、一般的に、当業者に知られている。一般に、そのようなユニットは、概してシンクまたは排水口の上に取り付けられた蛇口噴出口の下流または放出端の上へ取り付けることように適合された装置を含む。そのユニットは、比較的素早くかつ簡単な作動により、ヒトの目から汚染物質または同様のものをフラッシュするか、または洗浄するために使用される一対の比較的穏やかな上方への流れを作り出すように設計される。たとえば、特許文献１、特許文献２、特許文献３、特許文献４、特許文献５、および特許文献６を参照せよ。これらのそれぞれは本明細書中に参考として援用される。しかし、一般に、そのような従来のユニットは、洗眼流が必要とされないとき、蛇口噴出口からの通常の分配を容易には可能にしない。
【先行技術文献】
【特許文献】
【０００３】
【特許文献１】米国特許第５，１７０，５１８号明細書
【特許文献２】米国特許第４，６８８，２７６号明細書
【特許文献３】米国特許第４，６７５，９２４号明細書
【特許文献４】米国特許第４，６２７，８４５号明細書
【特許文献５】米国特許第３，９２５，８２９号明細書
【特許文献６】米国意匠特許第２５０，５９４号明細書
【発明の概要】
【課題を解決するための手段】
【０００４】
本発明は、概して下向きの方向に蛇口噴出口を通して水を通常に分配するための通常蛇口モードと、一対の上方に向けられた洗眼フラッシュ流が提供される洗眼モードとの間を、素早くかつ簡単に交替できる。
【０００５】
（本発明の概要）
本発明に従って、蛇口取付型洗眼ユニットは標準の蛇口噴出口の放出端の上へ取り付けるように適合される。洗眼ユニットは、第一部分を含み、その第一部分は蛇口噴出口に固定され、かつ通常蛇口モードにおいて第一部分を通過する実質的に絶え間ない水流を可能にする。洗眼ユニットの第二部分は、第一部分によって回転可能なように収容され、かつ蛇口モードにおいて通常は下方に指向される一対の洗眼放出ポートを含む。この第二部分は素早くかつ簡単に回転可能であり、洗眼モードにおいて洗眼放出ポートを上方に開いた位置に指向しなおし、これらの洗眼放出ポートを一対の洗眼フラッシュ流を上方に運ぶために水流に連結させる。
【０００６】
本発明の一つの好ましい形態に従って、洗眼ユニットは、通常の蛇口噴出口の放出端の上へしっかりねじ山上で取り付けるように適合されたロックアセンブリを含み、その通常の蛇口噴出口は、シンクおよび／または関連した排水口の上に取り付けられ、かつ蛇口噴出口を流れる水の温度を選択するように作用可能な冷水弁および温水弁またはその組み合わせについて設計されたタイプである。従来のエアレーターが洗眼ユニットによって蛇口噴出口水流に対して直線的に並んだ位置に取り外しできるように収容され、蛇口噴出口から選択された流量で選択された温度の水を放出する。
【０００７】
通常蛇口モードにおいて、洗眼放出ポートは下方に指向され、内部に含まれるいずれの水も自動的に排水される。水は、概して下向きの方向にかつ通常の方法で蛇口噴出口および関連したエアレーターによって分配される。しかし、洗眼の非常時、洗眼ユニットの第二部分が素早くかつ簡単に回転することで、洗眼放出ポートを上方に開いた位置に指向しなおし、一対の洗眼フラッシュ流の上向きの放出のための単一の動作で内部の回転式弁スリーブがこれらの洗眼放出ポートを蛇口水流に連結する。好ましい形態では、これらの洗眼フラッシュ流は上方に放出され、ヒトの目を内側から外へフラッシュする流れのために相互から実質的に反対の方向に分岐する。ユニット内の流れ制限物は洗眼フラッシュ流を前もって決定された流量に制限し、それによって蛇口噴出口を通る過剰な水流の途切れない下向きの放出を可能にする。
【０００８】
洗眼ユニットは、選択された温度水準より上の温水が洗眼放出ポートへ流れることを防ぐサーモスタットをさらに含む。一つの好ましい形態では、サーモスタットは、たとえばモデルｎｏ．ＷＭ−５でＢｕｄａｐｅｓｔ，ＨｕｎｇａｒｙのＫｅｒｏｘ  Ｌｔｄ．から利用可能なようなカートリッジを含む。このサーモスタットカートリッジは、水の温度が前もって決定された限度（たとえばおよそ１００°Ｆ）を超えるとき、回転式弁スリーブを通る洗眼ポートへの水流を実質的に遮るために水の温度に応じて膨張するように設計される。この遮られたモードにおいて、回転式弁スリーブの下流端を貫くブリード穴は、小さな水ブリード流を可能にし、このブリード流は所望される洗眼フラッシュ流を作り出すには不十分であるが、水を弁スリーブ通して流すには十分であり、それによって、水の温度が前もって決定された限度よりも低い温度に低下したとき、洗眼ポートへおよび洗眼ポートを通した水流を遮ることを即座にやめる。
【０００９】
本発明の他の特徴および利点は、本発明の原理を例として図示する添付の図面とあわせて以下の詳細な説明からより明白になる。
【図面の簡単な説明】
【００１０】
（図面の簡単な説明）
添付の図面は本発明を図示する。
【図１】図１は、洗眼モードにおける本発明の蛇口取付型洗眼ユニットを示す透視図である。
【図２】図２は、図１の蛇口取付型洗眼ユニットの分解した透視図である。
【図３】図３は、概して図１と一致する図であるが、図１の内部構造の詳細を図示する垂直断面内に示される透視図である。
【図４】図４は、蛇口噴出口の放出端の上へ取り付けられ、かつ通常蛇口モードに指向された洗眼ユニットを示す正面図である。
【図５】図５は、図３と同様の図であるが、通常蛇口モードにおける洗眼ユニットを示す垂直断面図である。
【図６】図６は、図４と同様の図であるが、通常蛇口モードと洗眼モードとの間を洗眼ユニットの一部が回転して転位することを描写する正面図である。
【図７】図７は、図４および６と同様の図であるが、洗眼モードにおける洗眼ユニットを示す正面図である。
【図８】図８は、図２と同様の図であるが、洗眼モードにおける洗眼ユニットを示す垂直断面図である。
【図９】図９は、概して図８の線９−９上で得られる垂直横断面図である。
【図１０】図１０は、取り囲まれた領域１０と概して一致する、図９の垂直横断面図の拡大した一部である。
【図１１】図１１は、概して図８の線１１−１１上で得られる垂直横断面図である。
【発明を実施するための形態】
【００１１】
（好ましい実施形態の詳細な説明）
例示的な図面に示されるように、概して添付の図面内に参照数字１０によって参照される蛇口取付型洗眼ユニットは、従来の蛇口噴出口１４の放出端１２の上へ取り付けるように適合される。洗眼ユニット１０は、従来のエアレーター１８または同様のものを通した蛇口水流１６の通常の下向きの放出のための図４に示される通常蛇口モード指向と、図７に示される洗眼モード指向との間を、素早くかつ簡単にならびに単一の動作で動かせる。その洗眼モード指向において、一対の洗眼ポート２０は一対の比較的穏やかな洗眼フラッシュ流または洗眼洗浄流２２を上方へ放出するために蛇口流と連結される。添付の図面に示されるような本発明の最も好ましい形態において、洗眼フラッシュ流は概して反対の方向に分岐して、ヒトの目から汚染物質を内側から外の方向にフラッシュし、そのような汚染物質をヒトの涙管および／または副鼻腔の内へとおよび／または通してフラッシュすることが実質的にない。
【００１２】
一般的には、本発明の蛇口取付型洗眼ユニット１０は、蛇口噴出口１４の放出端１２の上へ確実に取り付けるように適合された第一部分または固定部分２４ならびに第二部分または可動部分２６により画定されたユニットハウジングを含み、第二部分または可動部分２６は、蛇口モード位置（図４）と洗眼モード位置（図７）との間のどちらの方向にも（図６に最もよく示されるように）素早くかつ容易に回転する。通常蛇口モード位置（図４）において、洗眼ポート２０は、ユニットハウジングの第二部分２６上に下向きに開きかつ排水するように指向され、それにより内部に所望されない水の蓄積ならびに関連したカビおよび同様のものの発生を防ぐ。しかし、対照的に、洗眼モード位置（図７）において、洗眼ポート２０は上向きの方向へ開くように回転し、上方に向けられた洗眼流２２を作り出す。この点において、ユニットハウジングの第二部分２６の洗眼モード位置への回転について、ユニットハウジングの第一部分に関連して、内部に取り付けられる回転式弁スリーブ２８（図２）が、蛇口水流の一部を洗眼ポート２２に連結するために第二部分２６と共に回転する。重要なことに、この回転式弁２８はサーモスタットカートリッジ３０と関連づけられ、サーモスタットカートリッジ３０は洗眼ポート２２に連結した水の温度を制限する。
【００１３】
図１〜３および７〜８は、一対の洗眼ポート２０がユニットハウジングの第二の回転可能部分から上向きの方向に開いている洗眼モード指向における洗眼ユニット１０を図示する。図２は、洗眼ユニット１０のいくつかの構成要素を含めるように分解した形態で洗眼ユニット１０を示す。
【００１４】
図２に示されるように、洗眼ユニット１０の第一部分または固定部分２４は、蛇口噴出口１４の放出端１２の上への密封されかつロックされた取り付けのためのロック手段３２を含む。この点において、弁プラグ３４は、上方に開きかつ概して円筒形のカラー３６の上部端に収容される環状密封部材４０（たとえばＯ‐リングまたは同様のもの）を保持し、かつインターフェースリング３８上の内部フランジ３９が密封部材４０と係合して、カラー３６の上部端で短く外の方へ突出したフランジ４２に対してその部材４０を保つことによって、カラー３６上の蛇口インターフェースリング３８に対して密封することを手助けする。フィルタースクリーンワッシャー４４が、内部リングフランジ３９と蛇口噴出口１４の放出端１２との間の軸方向に閉じ込められうる。
【００１５】
蛇口インターフェースリング３８は、参照数字４６によって示されるように、蛇口噴出口１４の放出端１２との適切なねじ山上の係合のために内部にねじ山をつけられる。嵌合ロックナット４８もまた、インターフェースリング３８の上に取り付けられ、かつ雌ねじ５０を含む。雌ねじ５０は、ユニットハウジングの第一部分または固定部分２４上の短く直立したボス５３上の雄ねじ５２とねじ山上で係合し、蛇口噴出口１４の放出端１２の上へ洗眼ユニット１０を密封してロックし、定位置にアセンブリを保持するためのものである。この点において、蛇口インターフェースリング３８上の雌ねじ４６は、蛇口噴出口放出端１２上の嵌合ねじ山（示されない）との適切かつふさわしい係合のために選択される。当業者は、異なる適切なサイズのねじ山４６をその上に有する代替インターフェースリング３８が噴出口放出端１２でねじ山の型およびサイズに応じて使用されうるということを、認識しかつ理解する。当業者はまた、蛇口噴出口から前方に延ばすように洗眼ユニット１０を取り付けることを示す例示的な図面によって、洗眼ユニット１０が、事実上いずれの所望される回転指向においても蛇口噴出口放出端１２の上へ取り付けうると理解する。
【００１６】
第一部分２４の開ポート５６を通してはめ込まれ、かつねじ山をつけられたポート５８で回転式弁２８の後部端内へとねじ込まれるねじ山をつけられたねじ５４によって、回転式弁スリーブ２８は、ユニットハウジングの第一部分または固定部分２４内に、かつさらに弁プラグ３４の下方区分５５内に通常は保たれる。本明細書中により詳細に説明されるように、Ｔｅｆｌｏｎワッシャーまたは同様のもののようなワッシャー６０が、ねじ５４の頭と第一部分２６の外側との間に提供され、そこに対する滑らかな弁スリーブの回転に対応する。周囲のチャンネル６２（図３に最もよく示される）が回転式弁スリーブ２８に形成され、水が蛇口ロック手段３２を通って、さらに弁プラグ３４のポート６４を通って、チャンネル６２を通って、弁プラグ３４の下方区分５５に形成された放出ポート６６を下方に通って、下へ流れることを可能にする。蛇口水流１６（図４）が下にあるシンク（示されない）および／または排水口（同じく示されない）内へと下へ流れるように、エアレーター１８は、ユニットハウジングの第一部分または固定部分２４の下側に形成される浅く雌ねじをつけられたボス６８内へと取り外しできるようにねじ込まれる。
【００１７】
図５は、通常蛇口モード指向における回転式弁スリーブ２８を示す。この位置において、回転式弁スリーブ２８は、チャンネル６２から、固定部分２４に形成された横に開いた内腔７０を通して、ユニットハウジングの可動第二部分２６に形成された並べられ横に開いた内腔７２内へと、横に突出する。ユニットハウジングのこの第二部分２６内で、回転式弁スリーブ２８は第二部分２６と連結され、第二部分２６が洗眼モード位置にあるとき回転式弁スリーブ２８が蛇口水流の一部を洗眼ポート２０に連結して、蛇口モード位置と洗眼モード位置との間の第二部分の回転可能な転位に対応する。
【００１８】
より詳しく、回転式弁スリーブ２８は、複数の軸方向に間隔をあけられた周囲の溝７４によって画定された前部端を有する細長くかつ概して管状の構成要素を含む。それらの溝７４の一つはユニットハウジングの第一部分または固定部分２４の内腔７０内に位置を定められ、その間の漏れを防ぐために、弾力のあるＯ‐リングまたは同様のもののような環状密封部材７６を収容する。それらの溝７４の二つ目は、ユニットハウジングの可動第二部分２６の内腔７２内に配置され、その間の漏れを防ぐために、弾力のあるＯ‐リングまたは同様のもののような第二環状密封部材７８を収容する。この第二密封部材７８の近くの浅いくぼみ８０は、ハウジングユニットの第二部分２６の壁内へ、かつ壁を部分的に貫いて固定されたセットねじ８２または同様のものの先端を受け入れ、回転式弁スリーブ２８を第二部分２６に関して保つ。
【００１９】
回転式弁スリーブ２８の通常蛇口モード指向において、蛇口からの（ロック手段３２を通した）水流は、回転式弁スリーブ２８によって画定される開チャンネル６２をさらに通って、かつエアレーター１８を下方に通って、通常の放出のように自由に流れることができる（図４）。しかし、ハウジングユニットの第二部分２６が、図７に示される洗眼モード位置へ図６に見られるように回転するとき、チャンネル６２に軸方向に近接した位置で回転式弁スリーブ２８に形成された入口ポート８４は、洗眼ポート２０について説明されるような流れのために、いくらかの水流が、回転式弁スリーブ２８の内部に形成された内腔７３に入ることを可能にする。Ｏ‐リングシールまたは同様のもののような密封部材８６が、弁プラグ３４の下方区分５５を密封できるように係合するために提供される。
【００２０】
より具体的には、サーモスタットカートリッジ３０は、回転式弁スリーブ２８内へとはめ込まれ、水の温度が前もって決定されたしきい値（たとえばおよそ１００°Ｆ）であるか、またはそれより下であるとき、洗眼ポート２０への妨げられない水流を可能にする働きにおいて機能する。しかし、水の温度が前もって決定されたしきい値を超えるとき、サーモスタットカートリッジ３０は、洗眼ポートへの十分な水流を防ぐか、または妨げるために機能し、図７に示される上方に突出した洗眼フラッシュ流２２の発生を不可能にする。その代りに、サーモスタットカートリッジは、洗眼ポート２０への、かつ洗眼ポート２０を通したより小さなブリード流を可能にし、その結果、より冷たい水ならびに、（図４および６〜７に示される冷水蛇口および温水蛇口（８８および８９）を調節することにより）利用できるとき、それらに関連した温水流および冷水流が、洗眼ポート２０に即座に供給され、所望される洗眼フラッシュ流２２を再び発生させる。
【００２１】
一つの好ましい形態において、サーモスタットカートリッジ３０は、例示的なモデルｎｏ．ＷＭ−５でＢｕｄａｐｅｓｔ，ＨｕｎｇａｒｙのＫｅｒｏｘ  Ｌｔｄ．から利用可能ないわゆるワックスモーター要素を含む。そのようなサーモスタットカートリッジ３０は、一般的に、チャンネル６２に近接して回転式弁スリーブ２８に形成されたソケット９１内に据えられる軸端部９０を画定する外側の銅ケーシングおよびスリーブ内腔７３内に同軸に収容される放射状に広げられたフランジ９２を含む。スリーブ内腔７３は、通常かつ十分な放射状の隙間を提供するために、好ましくは少なくとも３つの内側に放射状に延びるリブ９３（図１０）が並べられ、入口ポート８４からサーモスタットカートリッジ３０の周りを（図２〜３に最もよく示される）端の開いたサーモスタットキャップ９４内に受け入れられる放水端へと、軸方向に水が流れることを可能にする。このキャップ９４は、流れ制限物ワッシャー９７に近接した軸方向の位置で内部に小さなブリード穴９６が形成された端壁９５を有し、この流れ制限物ワッシャー９７はキャップ９４の端壁９５と流れ制限物９７との間に軸方向に挿入される小さな圧縮ばね９８と共に、第二ハウジングユニット部分２６に据えられる。流路９９は、この流れ制限物９７からディフューザープレート１００へと、かつそれを通して、さらに一対の洗眼ポート２０を画定する放出ポート部材１０１へと下流へ通じる。ねじ１０２または同様のものは、第二ハウジングユニット部分２６の上へ放出ポート部材１０１を素早くかつ簡単に取り付けるために提供される。
【００２２】
銅で覆われたサーモスタットカートリッジ３０の内部（添付の図面には示されない）は、銅の微粒子およびワックスの混合物で埋められ、特定の混合比が特定の前もって決定されたサーモスタット反応の最大温度を選択する。この点において、サーモスタットカートリッジは、キャップ９４内に含まれるサーモスタットカートリッジ３０の下流端が、流れ制限物９７の上流側またはその上流面にキャップが接触することに十分なほどばね９８を圧縮するまで、上を流れる水の温度増加に応じて軸方向に膨張する。このキャップと流れ制限物の接触が起こるとき、流れ制限物９７を通る洗眼ポート２０へのさらなる水の流れは、キャップ端壁９５に形成されるブリード穴９６のサイズに制限される。そのような水の流れは、以前に説明されたように、所望される上方へ突出するフラッシュ流２２（図７）を作り出すには不十分であるが、水の温度を下げるために冷水蛇口および温水蛇口８８、８９（図４および６〜７）を調節することによって、水の温度調節に素早く反応することには十分である。
【００２３】
洗眼フラッシュ流の働きの間、サーモスタットキャップ９４は流れ制限物９７から軸方向に引っ込み、弁スリーブ２８の内腔７３内に形成された内側に放射状に延びるスペーサーリブ９３によって、キャップ９４の外側の周りにより多くの水が流れることを可能にする。このより多くの水流は流れ制限物ワッシャー９７の開口部サイズによってのみ制限されるが、上方に突出した洗眼フラッシュ流２２（図７）を作り出すには十分である。蛇口水流の残りは、通常の蛇口使用のようにチャンネル６２およびエアレーター１８を自由に通り抜けることができる。一つの好ましい形態において、流れ制限物９７は、およそ０．９ガロン毎分（ｇｐｍ）の水流に対応し、一方エアレーター１８はおよそ０．５ｇｐｍの水流に対応する。したがって、洗眼モード指向において、可能な蛇口噴出口放出がおよそ１．５ｇｍｐまたはそれより大きいオーダーであれば、洗眼モード指向での洗眼フラッシュ流２２の発生にも関わらず、蛇口の使用は絶え間なく続きうる。
【００２４】
ユニットハウジングの第二部分または可動部分２６は、通常蛇口モード位置（図４）と洗眼モード位置（図７）との間を、図６に見られるように素早くかつ簡単に回転可能である。この動きは、望ましくは、単一の動作で行われ、かつ蛇口エアレーター１８を通した下方への水流が存在する間に起こりうる。重要なことに、図７に示されるように、そのような下方への蛇口エアレーター流は、方向を変えられることも遮られることもない。移動止めピン１１０が弁プラグ３４に形成された一対の凹ませられた移動止めシート１１２のいずれか一つの内へと据えられて受け入れられるように通常は促すためのセットねじ１０６およびばね１０８を含む移動止めアセンブリ１０４（図２および１１）が、簡単に検知可能な触知できるフィードバックのために提供され、通常蛇口モード（図４）と緊急の洗眼モード（図７）との間の素早くかつ簡単なハウジングユニットの回転を保証する。
【００２５】
本発明の蛇口取付型洗眼ユニットにおいて、かつ本発明の蛇口取付型洗眼ユニットに対する種々の改変および改良は当業者に明白である。たとえば、当業者は、サーモスタットカートリッジ３０は、軸方向に膨張し、事実上いずれの選択された前もって決定された水の温度ででも流れ制限物９７と接触するように設計されうるということを認識し、かつ理解する。したがって、付帯する特許請求の範囲に明記することを除いて、前述の説明および添付の図面を手段として本発明を制限する意図はない。
【図１】
2013545909.tif 000003
【図２】
2013545909.tif 000004
【図３】
2013545909.tif 000005
【図４】
2013545909.tif 000006
【図５】
2013545909.tif 000007
【図６】
2013545909.tif 000008
【図７】
2013545909.tif 000009
【図８】
2013545909.tif 000010
【図９】
2013545909.tif 000011
【図１０】
2013545909.tif 000012
【図１１】
2013545909.tif 000013
【国際調査報告】
2013545909.tif 000014